(57)【要約】【課題】冷却風の流通抵抗を少なくして冷却能力を向上させ、電気部品および回路基板を効率よく冷却できる電子装置を提供する。【解決手段】電子装置１は、電気部品８２を収納する筐体２と、筐体２内に設けられ、筐体２と協同して外部の空気を冷却風として流通させる風路室２ｂを形成するとともに、電気部品８２を風路室２ｂに露呈する状態に搭載する回路基板８１と、連結路１６を介して吸気側が風路室２ｂに連通するように配設された冷却ファン１３とを有し、風路室２ｂと連結路１６とが連結する連結部１７の内壁面は、冷却風の流通抵抗が小さくなるような滑らかな曲面とされている。【選択図】        図６
2006108324.tif 000002
【特許請求の範囲】
【請求項１】
少なくとも発熱部品を収納する筐体と、
前記筐体内に設けられ、前記筐体と協同して外部の空気を冷却風として流通させる風路室を形成するとともに、前記風路室に露呈する状態で前記発熱部品を搭載する回路基板と、
連結路を介して吸気側が前記風路室に連通するように配設された冷却ファンとを有し、
前記風路室と前記連結路とが連結する連結部の内壁面は、前記冷却風の流通抵抗が小さくなるような曲面とされている
ことを特徴とする電子装置。
【請求項２】
前記筐体内に収容された枠体と、
前記枠体に配設され、ディスクを回転するディスク回転駆動手段、前記ディスクに記録された情報を再生する再生手段およびこの再生手段を前記ディスクに対して相対的に移動させる移動手段とを有する本体部とをさらに有し、
前記発熱部品は、前記本体部の動作を制御する半導体部品を含み、
前記回路基板は、前記筐体内に形成され前記本体部を収容する機械室と前記風路室とを区画する仕切板を構成している
ことを特徴とする請求項１に記載の電子装置。
【請求項３】
前記風路室の流路断面形状と前記連結路の流路断面形状とは、前記連結部を境にして大きく異なる形状をしている
ことを特徴とする請求項１または２に記載の電子装置。
【請求項４】
前記連結部内壁面の曲面は、前記冷却風の通風方向に平行な断面が円弧状である
ことを特徴とした請求項１または２に記載の電子装置。
【請求項５】
前記冷却ファンは、前記機械室の側部に設けられ、前記風路室内の冷却風の通風方向と前記連結路内の冷却風の通風方向とは、前記連結部にて概略直角に折れ曲がる
ことを特徴とした請求項２に記載の電子装置。
【請求項６】
前記連結部内壁面の曲面は、冷却ファンの中心線上まで延びている
ことを特徴とした請求項５に記載の電子装置。
【請求項７】
前記連結路は、前記冷却風の通風方向に直交する断面が矩形状をなし、前記曲面は少なくとも１つの連結路内壁面に連続するように形成されている
ことを特徴とした請求項１または２に記載の電子装置。
【請求項８】
前記連結路は、前記冷却風の通風方向に直交する断面が矩形状をなし、前記曲面は４つの連結路内壁面うちの３つに対して連続する３つの曲面を含んでいる
ことを特徴とした請求項１または２に記載の電子装置。
【請求項９】
前記枠体は、軸方向の両端面が開口する枠状に形成され、前記回路基板は、前記枠体の一側に前記開口を密閉するように取り付けられている
ことを特徴とした請求項２に記載の電子装置。
【請求項１０】
前記冷却ファンは、前記枠体に配設され、
前記回路基板は、前記発熱部品の位置より前記冷却ファンの吸気側に近い位置に開口形成され前記冷却ファンの吸気側を前記機械室に連通させる通風孔を有している
ことを特徴とした請求項２に記載の電子装置。
【発明の詳細な説明】
【技術分野】
【０００１】
本発明は、筐体内に回路基板が収納された電子装置に関し、特にこのような電子装置の冷却構造に関するものである。
【背景技術】
【０００２】
筐体内に回路基板が収納された電子装置として、例えばＤＶＤ（Digital Versatile Disk）やＣＤ（Compact Disc）などの光ディスクを再生あるいは記録・再生するディスク装置が広く利用されている。このようなディスク装置は、一般に略箱状の筐体を有しており、この筐体内には、光ディスクを回転させるディスク回転駆動手段と、光ディスクに情報を記録あるいは記録された情報を再生する光ピックアップを有した再生手段と、この再生手段を光ディスクに対して相対的に移動させる図示しない移動手段とが収納されている。一般にこのような各種駆動手段を制御する電気部品は、動作する際に発熱する。
【０００３】
この熱は、誤動作の原因となるほか、耐久性を落とす原因になるので積極的に放熱する必要がある、一方、上述のような各種駆動手段は、非常に小さく且つ精密な機構を有しているので、粉塵の侵入に弱く、そのため、確実性の高い防塵対策を必要とする。
【０００４】
これに対して、発熱する電気部品を搭載する回路基板そのものを仕切板として利用して風路室を形成し、冷却効率を向上させるとともに部品点数を削減してコストダウンを図る提案がされている。すなわち、密閉された筐体内にすでに存在し、発熱部品である電気部品を搭載する回路基板を仕切板として利用して風路室を形成して、当該回路基板に搭載された電気部品がこの風路室側に向くようにする。そして、この風路室に冷却ファンを連結して外気を取り入れるようにして、風路室内を流通する冷却風に電気部品を露呈する。これにより、従来風路室を形成していた仕切部品を削減できるとともに、回路基板および電気部品の冷却効率を向上させることができる（例えば、特許文献１参照）。
【０００５】
【特許文献１】特開２００３−１０００６９号公報
【発明の開示】
【発明が解決しようとする課題】
【０００６】
しかしながら、このような構成の電子装置であっても、冷却風の流通抵抗が大きいと、冷却ファンの吸引能力に比して冷却風の流通の流量が増えず、冷却能力は落ちる。一般に上述のような構成の電子装置においては、本体部を収納する機械室が筐体の中央部分に配置されるため、風路室はその他の部分に形成されることが多い。特に、比較的小型の電子装置にあっては、筐体内全域に広がる回路基板と筐体の１内側面を使って上述の風路室が形成される。つまり、筐体内の１内壁面に沿って扁平の風路室が形成される。
【０００７】
これに対して、冷却ファンは所定の直径と厚さを有しており筐体の背面部に配設される。そのため、風路室から冷却ファンに至る連通路は、必然的に折れ曲がって形成されたり断面形状が途中で変わるように形成されたりする。そして、これが原因で流通抵抗が大きくなり冷却能力が落ちるという未解決の問題がある。
【０００８】
本発明は、このような問題点に鑑みてなされたもので、冷却風の流通抵抗を少なくして冷却能力を向上させ、電気部品および回路基板を効率よく冷却できる電子装置を提供することを目的とする。
【課題を解決するための手段】
【０００９】
上述した課題を解決し、目的を達成するために、請求項１に記載の電子装置は、発熱電気部品を収納する筐体と、筐体内に設けられ、筐体と協同して外部の空気を冷却風として流通させる風路室を形成するとともに、発熱電気部品を風路室に露呈する状態に搭載する回路基板と、連結路を介して吸気側が風路室に連通するように配設された冷却ファンとを有し、風路室と連結路とが連結する連結部の内壁面は、冷却風の流通抵抗が小さくなるような滑らかな曲面とされていることを特徴とする。
【発明を実施するための最良の形態】
【００１０】
以下に、本発明にかかる電子装置の実施の形態を図面に基づいて詳細に説明する。なお、この実施の形態によりこの発明が限定されるものではない。以下では、本発明の電子装置の構成上の特徴を実施の形態として説明し、その後に電子装置に関する実施例を説明する。
【００１１】
［実施の形態］
図１は本発明の本実施の形態の電子装置を示す側断面図である。図２は図１のII-II線に沿う矢視断面図である。図１において、電子装置１は筐体２の内部に回路基板８１を収納している。回路基板８１は、発熱する部品である電気部品８２を搭載している。回路基板８１の大きさは、筐体２の横断面の大きさと概略同じ大きさとされている。回路基板８１は、筐体２の内部空間を機械室２ａと風路室２ｂとに区画する仕切板の役目を果たしている。そして、回路基板８１は、筐体２の内壁と協同して回路基板８１と同じ大きさで扁平状の風路室２ｂを形成している。回路基板８１は、電気部品８２を風路室２ｂに露呈するように搭載している。
【００１２】
風路室２ｂには、連結路１６を介して冷却ファン１３が連通している。冷却ファン１３が作動すると、図中矢印のように外部の空気が風路室２ｂに吸引され、風路室２ｂ内部を冷却風として流通する。電気部品８２は風路室２ｂに露呈しているので、冷却風によって冷却される。そして、本実施の形態においては、風路室２ｂと連結路１６とが連結する連結部１７の内壁面が、冷却風の流通抵抗を少なくする目的で滑らかな曲面とされている。連結路１６は冷却風の通風方向に直交する断面が矩形状である。そのため、４つの内壁面を有している。連結部１７の内壁面に形成される曲面は、連結路１６の４つの内壁面のうち３つの内壁面に夫々滑らかに連続する３つの曲面３４，３５，３６を含んでいる。このような構成により、冷却風の流通抵抗が少なくなり、冷却風の冷却能力が向上するので、電気部品８２および回路基板８１が効率よく冷却される。
【００１３】
風路室２ｂの流路断面形状と連結路１６の流路断面形状とは、連結部１７を境にして大きく異なる形状をしている。すなわち、風路室２ｂの流路断面形状は、非常に幅の広く、高さの小さい細長矩形形状であるのに対して、連結路１６の流路断面形状は、これよりも幅が非常に狭くされ高さは大きくされている。なお「幅」とは、図２におけるＡ方向と平行な方向の長さであり、「高さ」とは図１におけるＢ方向と平行な方向の長さである。そのため、従来のもののように連結部１７内壁面に角部が存在すると流通抵抗が特に大きくなり冷却能力が落ちる。これに対して本実施の形態の電子装置１の連結部１７の内壁面の曲面３４,３５，３６は、冷却風の通風方向に平行な断面が円弧状である。そのため、冷却風の流通抵抗を小さなものとすることができる。
【００１４】
また、冷却ファン１３は、機械室２ａの側部に設けられ、風路室２ｂ内の冷却風の通風方向と連結路１６内の冷却風の通風方向とは、連結部１７にて概略直角に折れ曲がっている。しかしながら、連結部１７の内壁面の曲面は、冷却ファン１３の中心線上まで延びているので、冷却風が概略直角である大きな角度で折れ曲がって流通しても、流通抵抗はさほど大きくなることはない。
【００１５】
尚、ここで「流路断面積」とは、冷却風が流通する通路の流通方向に対して直交する面の該通路の面積のことをいう。
また、「流通抵抗」とは冷却風の流れやすさのことをいう。所定の通路の中を流通する冷却風を考察すると、最細部の流露断面が同じでも、該最細部の前後の通路の形状により流通抵抗は異なる。最細部に対してなだらかに変化するものは流通抵抗が小さいが、例えば流通方向の断面にて最細部が鋭角に突出するものは流通抵抗が大きい。これは冷却風の流れに乱れが生じる為である。すなわち、「冷却風の流通抵抗を少なくする目的で滑らかな曲面にする」とは、「冷却風の流れに乱れが生じないように滑らかな曲面にする」ということと同じである。
【実施例】
【００１６】
この実施例は、本発明の電子装置に係る一実施例として、本発明の構成をディスク装置に適応したものである。
図３は本発明の電子装置に係る一実施例であるディスク装置の斜視図である。図４は図３に示されたディスク装置の構成を示す分解斜視図である。図５は図３に示されたディスク装置の一部を削除した平面図である。図６は風路室および連結路を流れる冷却風の様子を示す模式図である。図７は図６の風路室、連結部および連結路の部分を拡大して示す斜視図である。図８は図３に示されたディスク装置の一部を削除した側断面図である。
【００１７】
図３において、ディスク装置１は、概略矩形扁平状で直方体状の金属製の筐体２を有している。筐体２は、それぞれ２つの大面積面、中面積面、小面積面を有している。尚、説明に際して、図中上方の大面積面を上面、図中下方の大面積面を下面、２つの中面積面部を側面、図３の場合、図中左側の小面積部を前面、これに対向する図中左側の小面積部を裏面と呼ぶ。同じように、図の上方を上、図の下方を下と呼ぶ。他の図もこれに倣う。しかしながら、これは便宜上このように呼ぶと解り易くなるからであって、この呼称は装置が設置される際の方向、或いは動作する際の方向を限定するものではない。
【００１８】
筐体２は、下面および前面が２面にわたって開口する上筐体３と、この上筐体３の下面を閉塞する下筐体４と、上筐体３の前面を閉塞するベゼル５とを有している。ベゼル５には、スイッチ操作部５ｂと動作確認窓５ｃとが設けられている。また、ベゼル５の下方には、外部の空気を流入するスリット状の空気流入口５ｄが、ベゼル５の左右方向に延びて穿孔されている。
【００１９】
図４において、上筐体３は、天板部３ａと、天板部３ａの長手方向の両側縁に略垂直に折曲形成された側板部３ｂ，３ｂと、３ｂと同方向に略垂直に折曲形成された端板部３ｃとで構成され、下面および前面を開口して形成されている。上筐体３の側板部３ｂ，３ｂの下端縁には、折曲形成により設けられ図示しないねじ孔が穿設された取付片部３ｄが設けられている。端板部３ｃの概略中央には、後述する冷却ファンが冷却風を外部に逃がすための排気口３ｅが穿孔されている。一方、下筐体４は、上筐体３の天板部３ａと略同じ大きさの平板状を成しており、天板部３ａの取付片部３ｄに対応した位置にねじ孔４ａと取付ダボ４ｂとが設けられている。
【００２０】
筐体２内には、合成樹脂製の略四角枠状の枠体１１が配設されている。この枠体１１は、図３から図７に示すように、上筐体３の側板部３ｂ，３ｂの内面に密着する側面部１１ａ，１１ａと、上筐体３の端板部３ｃの内面に密着する端面部１１ｂと、側面部１１ａ，１１ａおよび端面部１１ｂの内面側に内方に向けて突出する支持リブ１１ｃと、側面部１１ａ，１１ａの端面部１１ｂと反対側の端部に架橋するように設けられた開閉駆動配設部１１ｄとを有している。軸方向の両端面を開口する略四角枠状に形成されている。また、枠体１１の側面部１１ａ，１１ａには、上筐体３の取付片部３ｄおよび下筐体４の取付ダボ４ｂ間に挾持されてねじ止めされる取付リブ部１１ｅが設けられている。
【００２１】
ここで、略四角枠状の枠体１１の「枠状」の語句は、所定の空間を所定の高さの壁面にて囲繞する形状を表すことに使用している。そして、本実施の形態の枠体１１のようにベゼル５側の壁面が他の３つの壁面より軸方向の高さが低くするものは当然含み、また、周囲を完全に囲繞するものに限らず部分的に切断されているものも含む。つまり、本実施の形態の枠体１１は、軸方向の両端面を開口する略四角枠状に形成されているが、周囲を完全に囲繞するものに限らず部分的に切断されているものであっても概略同様な効果を得ることができる。
【００２２】
さらに、枠体１１には、図４から図８に示されるように、ダクト部１２が設けられている。なお、図６は風路室および連結路を流れる冷却風の様子を示す模式図であり、図７は図６の一部を拡大して示す斜視図であるが、回路基板８１を取り外した枠体１１を筐体２の下面側から見た図である。ダクト部１２は、冷却ファン１３に連通する連通路を構成するダクト凹部１２ａと、回路基板８１を横断するように延び風路室２ｂの一部となるダクトを形成するダクトフード部１２ｂとを有している。ダクト凹部１２ａは、端面部１１ｂの外面側略中央に開口部を外方に向けて凹状に形成されている。一方、ダクトフード部１２ｂは、端面部１１ｂから突出する支持リブ１１ｃの下面側に一体的に連続して突設された矩形の枠にて構成されている。ダクトフード部１２ｂは、底面（天板部３ａ側の内面）中央部にてダクト凹部１２ａに連通している。
【００２３】
端面部１１ｂのダクト凹部１２ａ内に位置して冷却ファン１３が配設されている。この冷却ファン１３は、ダクト凹部１２ａの開口縁から突設されたリブ１４により支持され、吸気側がダクト凹部１２ａに略気密に連通する状態で配設されている。そして、本実施の形態においては、回路基板８１を横断するように延びるダクトフード部１２ｂが形成する細長直方体状のダクトとダクト凹部１２ａとが連結する連結部１７の内壁面が、冷却風の流通抵抗を少なくする目的で滑らかな曲面とされている。ダクト凹部１２ａは冷却風の通風方向に直交する断面が矩形状であり４つの内壁面を有している。そして、連結部１７の内壁面に形成される曲面は、ダクト凹部１２ａの４つの内壁面のうち３つの内壁面に夫々滑らかに連続する３つの曲面３４，３５，３６から構成されている。それぞれの曲面３４，３５，３６は、ダクトフード部１２ｂが形成するダクトの底面とこの底面に対して直行するダクト凹部１２ａの内壁面とが滑らかに連続するように形成された曲面である。そして、曲面３４，３５，３６は、冷却風の通風方向に平行な断面が円弧状とされている。つまり、曲面３４，３５，３６は、ダクトフード部１２ｂが形成するダクトの底面とこの底面に対して直行するダクト凹部１２ａの内壁面の両面に外接するような所定の半径を有する円筒面の一部にて構成されている。
【００２４】
また、この枠体１１には、本体部２０が配設されている。この本体部２０は、例えば金属製の平板枠状に形成された台座部２１を有している。この台座部２１は、図４および図５に示すように、枠体１１の端面部１１ｂから突出する支持リブ１１ｃに一縁が上下方向に回動可能に他縁がねじ止めされて取り付けられている。この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１１の側面部１１ａから突出する支持リブ１１ｃに回動可能に軸支される一対の回動腕部２２ｂとを有している。そして、台座部２１は、回動案内部２２により、回動が案内される。
【００２５】
さらに、台座部２１には、回動する一縁側に位置してディスク回転駆動手段２５が配設されている。このディスク回転駆動手段２５は、図４、図５および図８に示すように、例えばスピンドルモータなどの回転用電動モータ２６と、この回転用電動モータ２６の出力軸２６ａに一体的に設けられたターンテーブル２７とを有している。このターンテーブル２７は、光ディスクの中心に開口形成された軸孔に嵌挿する略円柱状の回転軸と、この回転軸の外周面にフランジ状に突設され光ディスクの軸孔周縁が載置される鍔部とを有している。そして、ターンテーブル２７の回転軸の先端部には、磁石２９が埋設されている。
【００２６】
また、台座部２１には、移動手段３１が配設されている。この移動手段３１は、一対のガイドシャフト３２および移動用電動モータ３３を備えている。そして、一対のガイドシャフト３２は、台座部２１の軸支された他縁から回動側の一縁へ向けた方向に軸方向を有して配設されている。さらに、移動用電動モータ３３は、出力軸３３ａの軸方向がガイドシャフト３２の軸方向に沿う状態で配設されている。この移動用電動モータ３３の出力軸３３ａの外周面には、螺旋状に図示しない係合溝が設けられている。
【００２７】
さらに、移動手段３１には、再生手段４１が配設されている。この再生手段４１は、一対のガイドシャフト３２に架橋する状態で保持された移動保持部４２を有している。この移動保持部４２には、ガイドシャフト３２を移動可能に嵌挿する保持部４３と移動用電動モータ３３の出力軸３３ａの係合溝に係合する図示しない移動規制爪部が設けられている。また、再生手段４１の移動保持部４２には、図示しない光源と、この光源からの光を収束するレンズ４５と、光ディスクから反射された光を検出する図示しない光センサとが配設されている。
【００２８】
また、枠体１１には、図４に示すように、例えば金属板状に形成され、側面部１１ａ，１１ａ間に架橋する状態でねじにて固定される回転子支持部材５１が設けられている。この回転子支持部材５１には、略中央にディスク回転駆動手段２５のターンテーブル２７に対向する位置に上方に向けて凹状の支持凹部５２が設けられている。この支持凹部５２の略中央には、支持孔５３が開口形成されている。この回転子支持部材５１の支持凹部５２には、回転子５５が回転可能に載置されている。この回転子５５は、略円盤状で、外周縁が支持孔５３の周縁に係合可能に形成されている。また、この回転子５５には例えば金属板などの図示しない磁性材料が一体的に取り付けられ、回転子５５はターンテーブル２７の磁石２９の磁力にて光ディスクをターンテーブル２７と挾持する。
【００２９】
一方、枠体１１には、この枠体１１の内側に支持リブ１１ｃの上方側で水平方向に進退可能に移動するディスクトレイ６１が配設されている。このディスクトレイ６１は、例えば合成樹脂の板状に形成され、本体部２０のディスク回転駆動手段２５および再生手段４１に対応する部分が開口形成された略長方形板状のトレイ部６２を有している。このトレイ部６２の長手方向の一端側には、上方に向けて拡開する円形凹状で光ディスクが載置される載置凹部６２ａが設けられている。また、このトレイ部６２の長手方向の一縁には、ベゼル５と同材質にて形成され、筐体２のベゼル５の窓部５ａを閉塞する長手板状の窓閉塞板部６５が着脱可能に取り付けられている。
【００３０】
さらに、枠体１１には、開閉駆動配設部１１ｄに位置して開閉駆動手段７１が配設されている。この開閉駆動手段７１は、互いに係合して開閉駆動配設部１１ｄに回転自在に軸支された駆動伝達プーリ７２、この駆動伝達プーリ７２に係合する駆動伝達ギヤ７３、およびこの駆動伝達ギヤ７３に係合するとともにディスクトレイ６１に係合する移動ギヤ７４を有している。また、開閉駆動手段７１には、出入用電動モータ７５を備えている。この出入用電動モータ７５の出力軸７５ａには、プーリ７６が一体的に設けられている。このプーリ７６と駆動伝達プーリ７２とには無端ベルト７７が掛け渡され、出入用電動モータ７５の駆動により、プーリ７６、駆動伝達プーリ７２、駆動伝達ギヤ７３および移動ギヤ７４が回転し、ディスクトレイ６１が移動される。
【００３１】
また、開閉駆動手段７１は、枠体１１の開閉駆動配設部１１ｄに側面部１１ａ，１１ａの対向方向に沿って移動可能に配設された移動カム７８を有している。この移動カム７８は、台座部２１に一体的に取り付けられた回動案内部２２に係合するとともに、駆動伝達ギヤ７３に係合し、出入用電動モータ７５の駆動にて駆動伝達ギヤ７３が回転すると、移動カム７８が移動して台座部２１を上下方向に回動させる。なお、移動カム７８は、ディスクトレイ６１が後退して枠体１１内に位置する状態で台座部２１を上方に回動させ、ディスクトレイ６１が進退移動する際には、台座部２１が下方に回動されてディスクトレイ６１と干渉しないようになっている。そして、上述したディスク回転駆動手段２５、移動手段３１、再生手段４１および開閉駆動手段７１により、本体部２０が構成されている。
【００３２】
また、枠体１１には、図４および図８に示すように、回路基板８１が取り付けられている。この回路基板８１は、枠体１１に設けられた図示しない基板取付爪部により係脱可能に取り付けられている。回路基板８１は、筐体２の下筐体４と略同寸法の平板状で、枠体１１の下面を閉塞して本体部２０を覆うように取り付けられる。この回路基板８１には、本体部２０の動作を制御する発熱部品としての電気部品８２を有した制御回路が搭載されている。なお、回路基板８１は、枠体１１に取り付けられた状態で、特に発熱量が多い電気部品８２が本体部２０とは反対側の筐体２の下筐体４の内面に対向する状態で取り付けられる。すなわち、回路基板８１は、枠体１１に取り付けられた状態で、筐体２内に、上方に本体部２０が配設された枠体１１が収容される機械室２ａが区画形成されるとともに、下方に回路基板８１と下筐体４の内面との間の間隙で電気部品８２が露呈する風路室２ｂが区画形成される。
【００３３】
さらに、回路基板８１は、枠体１１に取り付けられた状態で、図８に示すように、枠体１１のダクト部１２のダクトフード部１２ｂの先端縁である周縁が回路基板８１に略気密に密着する状態となる。そして、回路基板８１には、通風孔８３が設けられている。この通風孔８３は、図６、図７および図８に示すように、ダクト部１２のダクトフード部１２ｂに囲まれる位置に設けられ、回路基板８１が枠体１１に取り付けられた状態で、発熱量が比較的に多い電気部品８２より通風孔８３が冷却ファン１３の吸気側に近い位置である外気の流通方向の下流側に設けられる。この通風孔８３により、冷却ファン１３の吸気側は、ダクト部１２および通風孔８３を介して風路室２ｂに連通する。
【００３４】
また、回路基板８１には、図示しない電源線や外部の各種電気機械との信号を送受信するケーブルなどが着脱可能に接続されるコネクタ部８５が設けられている。このコネクタ部８５は、枠体１１の端面部１１ｂの外面側に位置する状態で、筐体２から外部に臨む状態で配設されている。さらに、回路基板８１には、開閉駆動手段７１の出入用電動モータ７５が上面に一体的に取り付けられている。
【００３５】
次に動作を説明する。まず、ディスク装置１に電力を供給する。この電力の供給により、冷却ファン１３が駆動する。そして、例えば光ディスクに記録された情報を読み出す際には、まずベゼル５のスイッチ操作部５ｂが操作される。このスイッチ操作部５ｂの操作により、回路基板８１に設けられた図示しないスイッチが開閉し、回路基板８１の制御回路が開閉駆動手段７１の出入用電動モータ７５を駆動させる。この出入用電動モータ７５の駆動により、プーリ７６、駆動伝達プーリ７２、駆動伝達ギヤ７３および移動ギヤ７４が回転し、移動ギヤ７４に係合するディスクトレイ６１がベゼル５の窓部５ａから進出する方向に移動する。この移動の際、開閉駆動手段７１の移動カム７８も移動し、この移動カム７８に係合する回動案内部２２が下方に向けて回動し、台座部２１が下方に向けて回動され、本体部２０がディスクトレイ６１と干渉しないように待避する。
【００３６】
この進出したディスクトレイ６１の載置凹部６２ａに光ディスクを、この光ディスクの記録面を下方に向く状態で載置する。この後、再びベゼル５のスイッチ操作部５ｂを操作し、開閉駆動手段７１の出入用電動モータ７５を回転駆動させ、ディスクトレイ６１を窓部５ａ内に後退させる。このディスクトレイ６１の後退の際、下方に待避状態の本体部２０が台座部２１とともに移動カム７８に係合する回動案内部２２により上方に向けて移動される。この本体部２０の上方への回動により、ディスク回転駆動手段２５のターンテーブル２７の回転軸２７ａが光ディスクの軸孔に嵌挿する。さらに、ターンテーブル２７の磁石２９の磁力により、ターンテーブル２７と回転子５５との間に光ディスクが挟持固定される。
【００３７】
この状態で、回路基板８１の制御回路が本体部２０を制御し、ディスク回転駆動手段２５の回転用電動モータ２６にて回転される光ディスクに記録された情報を、移動手段３１にて適宜移動される再生手段４１の光センサにて読み取る。
【００３８】
このディスク装置１の動作の際、回路基板８１の制御回路を構成する電気部品８２が発熱する。この発熱した電気部品８２の熱は、風路室２ｂを流通する冷却風により外部に放熱される。すなわち、冷却ファン１３の駆動により、冷却ファン１３の吸気側であるダクト部１２が大気圧に対して負圧状態となる。このダクト部１２の負圧状態により、ダクト部１２に通風孔８３を介して連通する風路室２ｂ内が負圧状態となる。この風路室２ｂの負圧状態により、ベゼル５に形成された空気流入口５ｄから、外気が吸気される。このように、吸気された外気は、図６および図８にも示すように、風路室２ｂを流通し、この風路室２ｂに露呈する電気部品８２と接触する。この電気部品８２と接触した外気は、熱交換により電気部品８２を冷却する。そして、熱交換にて暖められた外気は、通風孔８３を通ってダクト部１２に流通し、冷却ファン１３にて排気口３ｅから外気に排気風として排気される。
【００３９】
以上のように、本実施の形態のディスク装置は、以下に示す作用効果を奏する。
すなわち、枠体１１に配設した本体部２０の動作を制御する制御回路を構成する電気部品８２を有した回路基板８１を、本体部２０を収容する機械室２ａと冷却ファン１３の吸気側が連通し外気が流通可能な風路室２ｂとを筐体２内に区画する仕切板として用いる。そして、電気部品８２が風路室２ｂに露呈する状態に配設する。このため、本体部２０側に塵埃が侵入することを防止しつつ、回路基板８１に搭載された電気部品８２を冷却ファン１３の駆動にて吸気され風路室２ｂを流通する外気と効率よく接触させて冷却することができ、回路基板８１の冷却効率を向上できる。
【００４０】
そして、風路室２ｂと連結路１６とが連結する連結部１７の内壁面は、冷却風の流通抵抗が小さくなるような滑らかな曲面とされている。そのため、冷却ファン１３の能力が同じでも冷却風の流量を増やすことができ、電子部品８２および回路基板８１を効率よく冷却することができる。
【００４１】
また、軸方向の両端面が開口する枠状の枠体１１の一面側に開口を密閉する状態に回路基板８１を取り付ける。このため、本体部２０が配設される枠体１１に、塵埃による不具合の発生を防止するために本体部２０を覆う構成として回路基板８１を利用でき、別途設ける必要がなく、構造を簡略化でき、上下方向の寸法を小さくでき、製造性の向上および軽量小型化を容易に図ることができる。
【００４２】
さらに、回路基板８１に、電気部品８２の位置より枠体１１に配設した冷却ファン１３の吸気側に近い位置に、冷却ファン１３の吸気側を風路室２ｂに連通させる通風孔８３を開口形成する。このため、冷却ファン１３が枠体１１に組み付けられ、ディスク装置１の組立形成の際に枠体１１とともに筐体２内に組み付けでき、組立製造性を向上できるとともに、確実に冷却ファン１３の駆動により吸気された外気が電気部品８２に接触する状態を得ることができ、電気部品８２を効率よく冷却できる。
【００４３】
また、枠体１１の本体部２０を支持する支持リブ１１ｃに連続して、先端縁が回路基板８１に密着して冷却ファン１３の吸気側および回路基板８１の通風孔８３を本体部２０と隔離して囲むダクト部１２を設ける。このため、冷却ファン１３の駆動により吸気側に大気圧に対する負圧を効率よく発生でき、外気が風路室２ｂから通風孔８３を介して良好に冷却ファン１３に吸気でき、電気部品８２を効率よく冷却できる。さらに、このダクト部１２は、支持リブ１１ｃに連続して設けるため、支持リブ１１ｃを利用して別途ダクト部１２の構成を設ける必要がなく、構造を簡略化でき、枠体１１の製造性の向上および軽量小型化が容易に図れる。また、ダクト部１２が回路基板８１に密着するため、がたつきも防止できる。
【００４４】
尚、本実施の形態においては、略箱状の筐体２内に枠体１１を包み込むように収容する構成について説明したが、枠体１１の一部が筐体２から露出する構成や枠体１１の一部にて筐体２を構成するように枠体１１の少なくとも一部が筐体２内に収容されて本体部２０が露出しないように覆う構成としたものでも同様の効果を得ることができる。
【００４５】
また、本実施の形態においては、ダクト部１２を支持リブ１１ｃに連続して設けたが、例えば支持リブ１１ｃにダクトフード部１２ｂのような別部材を取り付けてもよい。
【００４６】
さらに、本実施の形態においては、冷却ファン１３を枠体１１に組み付けているが、冷却ファン１３は、いずれの位置に設けてもよい。なお、枠体１１は、軽量化および補強などのための複数のリブ１４が設けられ、冷却ファン１３を組み付けるためのリブ１４の構造を有している。このため、上記実施の形態のように、冷却ファン１３を枠体１１に組み付ける構成では、冷却ファン１３を組み付けるための構成が容易に得られるとともに、軽量化や補強などのためのリブ１４間の空間を有効利用できる。
【図面の簡単な説明】
【００４７】
【図１】本発明の本実施の形態の電子装置を示す側断面図である。
【図２】図１のII-II線に沿う矢視断面図である。
【図３】本発明の電子装置に係る一実施例であるディスク装置の斜視図である。
【図４】図３に示されたディスク装置の構成を示す分解斜視図である。
【図５】図３に示されたディスク装置の一部を削除した平面図である。
【図６】風路室および連結路を流れる冷却風の様子を示す模式図である。
【図７】図６の風路室、連結部および連結路の部分を拡大して示す斜視図である。
【図８】図３に示されたディスク装置の一部を削除した側断面図である。
【符号の説明】
【００４８】
１  ディスク装置
２  筐体
２ａ  機械室
２ｂ  風路室
１１  枠体
１２  ダクト部
１２ａ  ダクト凹部（連結路）
１２ｂ  ダクトフード部（風路室）
１３  冷却ファン
１６  連結路
１７  連結部
２０  本体部
２５  ディスク回転駆動手段
３１  移動手段
３４，３５，３６  曲面
４１  再生手段
８１  回路基板
８２  電気部品
８３  通風孔
【図１】
2006108324.tif 000003
【図２】
2006108324.tif 000004
【図３】
2006108324.tif 000005
【図４】
2006108324.tif 000006
【図５】
2006108324.tif 000007
【図６】
2006108324.tif 000008
【図７】
2006108324.tif 000009
【図８】
2006108324.tif 000010